(57)【要約】【課題】ＩＣタグを装着することによりパウチ内の商品に関する商品情報をパウチ本体の表面に印刷やラベルにて表示された可視情報以外の電子化処理可能な電子情報として記録でき且つ読み取りできるようにした電子パウチとしてのＩＣタグ装着パウチを提供。【解決手段】二つ折り又は２枚重ねにて重ね合わせた略矩形状の軟質包装フィルム１、１の少なくとも三方端部乃至四方端部の重ね合わせフィルム内面をヒートシールして三方乃至四方のシール部を設けた包装用のパウチにおいて、前記三方端部２、４、３、乃至、四方端部２、４、３、３の各シール部のうちのいずれかのシール部の重ね合わせフィルム１、１内面のエンボス凹部１５内に電子情報記録／読取用のＩＣタグ１１が収容装着されていて、開封用カッティングラインＬ1 がＩＣタグ１１の装着領域外又は内を通るように設定されている。【選択図】図２
2006069560.tif 000002
【特許請求の範囲】
【請求項１】
二つ折り又は２枚重ねにて重ね合わせた略矩形状の軟質包装フィルムの少なくとも三方端部乃至四方端部の重ね合わせフィルム内面をヒートシールして三方乃至四方のシール部を設けた包装用のパウチにおいて、前記三方乃至四方のシール部のうちのいずれかのシール部の重ね合わせフィルム内面に、電子情報記録／読取用のＩＣタグが装着されていることを特徴とするＩＣタグ装着パウチ。
【請求項２】
前記電子情報記録／読取用のＩＣタグが、前記三方乃至四方のシール部のうちのいずれか一方のシール部の重ね合わせフィルム内面に装着されていることを特徴とする請求項１記載のＩＣタグ装着パウチ。
【請求項３】
二つ折り又は２枚重ねにて重ね合わせた略矩形状の軟質包装フィルムの少なくとも三方端部乃至四方端部の重ね合わせフィルム内面をヒートシールして三方乃至四方のシール部を設けた包装用のパウチにおいて、前記三方乃至四方のシール部のうちのいずれか一方のシール部の重ね合わせフィルムの内面であって、該重ね合わせフィルムのうち一方又は両方のフィルム内面に備えたエンボス凹部内に電子情報記録／読取用のＩＣタグが装着されていることを特徴とするＩＣタグ装着パウチ。
【請求項４】
前記電子情報記録／読取用のＩＣタグが、前記三方乃至四方のシール部のうちのいずれか一方のシール部の重ね合わせフィルムの内面であって、該重ね合わせフィルムのうち一方又は両方のフィルム内面に備えたエンボス凹部内に電子情報記録／読取用のＩＣタグが装着されていることを特徴とする請求項３記載のＩＣタグ装着パウチ。
【請求項５】
前記三方乃至四方のシール部のうちの互いに対向する一対のシール部の端縁を結んで開封用カッティングラインが設けられ、該一対のシール部のうち一方のシール部の端縁の開封用カッティングラインの一端に、開封用ノッチ（切込部）が設けられていることを特徴とする請求項１乃至４のいずれか１項記載のＩＣタグ装着パウチ。
【請求項６】
前記開封用カッティングラインが、前記ＩＣタグの装着領域外を通過するように設けられていることを特徴とする請求項５記載のＩＣタグ装着パウチ。
【請求項７】
前記開封用カッティングラインが、前記ＩＣタグの装着領域外を通過するように設けられ、且つＩＣタグ取り出し用カッティングラインが、前記ＩＣタグの装着領域内を通過するように設けられていることを特徴とする請求項５記載のＩＣタグ装着パウチ。
【請求項８】
前記開封用カッティングラインが、前記ＩＣタグの装着領域内を通過するように設けられていることを特徴とする請求項５記載のＩＣタグ装着パウチ。
【発明の詳細な説明】
【技術分野】
【０００１】
本発明は、軟質包装フィルムにより製袋された包装用のパウチに関し、特に包装袋本体に電子情報記録用のＩＣタグを装着したＩＣタグ装着パウチに関する。
【背景技術】
【０００２】
一般に軟質包装フィルム材料により製袋された包装用のパウチ（包装袋）は、液体や粘稠体や固体などの各種内容物を包装することができ、また、各種の形態のパウチが商品化されている。
【０００３】
例えば、図８（ａ）の平面図、図８（ｂ）のＭ−Ｍ側断面図に示すように、矩形状の軟質包装フィルム１を二つ折りして重ね合わせたり２枚重ねにしたりして重ね合わせ、その重ね合わせたフィルム１、１の二つ折りた折目と直交する方向の上下端部のうちいずれか一端部２と折目と平行に対向する側端部との二方周囲、又は上下端部のうちいずれか一端部２と両側端部３、３との三方周囲をヒートシールして製袋し、上下端部のうち他端部４側の開口部から内容物を充填した後に、該他端部４をヒートシールして密封包装やシール包装した平坦状のパウチがある。
【０００４】
また、図９（ａ）の平面図、図９（ｂ）のＭ−Ｍ側断面図に示すように、重ね合わせた矩形状の軟質包装フィルムの前面フィルム１と後面フィルム１との互いに対向する下端部２の内面側に、二つ折りにて折り込まれた底面折りフィルム５を備え、その前面フィルム１と後面フィルム１との対向する左右両側端部３、３をヒートシールして製袋し、上下端部のうち上端部４側の開口部から内容物を充填した後に、該上端部４をヒートシールして密封包装やシール包装し、折り込まれた前記底面折りフィルム５の二つ折り（その底面折り内面は未シール状態）を開くことにより、パウチ底部にて自立できるようにした自立性のパウチがある。
【０００５】
また、図１０（ａ）の平面図、図１０（ｂ）のＭ−Ｍ側断面図に示すように、矩形状の軟質包装フィルム１を二つ折りして重ね合わせたり２枚重ねにしたりして重ね合わせ、その重ね合わせたフィルム１、１の二つ折りた折目と直交する方向の上下端部のうちいずれか一端部２と折目と平行に対向する側端部との二方周囲、又は上下端部のうちいずれか一端部２と両側端部３、３との三方周囲をヒートシールし、前記一端部２にはシール部２ａと通気性の未シール部２ｂとからなる断続線状のヒートシール部を備えて製袋し、上下端部のうち他端部４側の開口部から内容物を充填した後に、該他端部４をヒートシールしてシール包装した米等の穀物類や通気性が要求される内容物を包装するための通気性のある平坦状のパウチがある。
【０００６】
また、図１１（ａ）の平面図、図１１（ｂ）のＮ−Ｎ断面図に示すように、重ね合わせた矩形状の軟質包装フィルムの前面フィルム１と後面フィルム１の互いに対向する左右両側端部の内面側に二つ折りにて折り込まれたそれぞれ側面折りフィルム６、６を備えて筒状体とした後、該筒状体の上下端部のうちいずれか一端部２をヒートシールして製袋し、上下端部のうち他端部４側の開口部から内容物を充填した後に、該他端部４をヒートシールして密封包装やシール包装し、折り込まれた前記両側面折りフィルム６、６の二つ折り（その側面折り内面は未シール状態）を開くことにより、包装容積を拡大させることができるガゼット状のパウチがある。
【０００７】
上記各種の形態のパウチは、未シール状態にある残りの他端部４の開口部からパウチ内に内容物を充填した後に、該開口部をヒートシールして、密封包装やシール包装するもの
である。
【０００８】
そして、図８〜図１１に示す上記パウチ内から内容物を取り出す際は、パウチの一側端部の外端縁に設けたノッチ７（切り込み）から、その一側端部のヒートシール部を切り破り、該パウチの一側端部のヒートシール部から対向する他端部のヒートシール部に亘るカッティングラインＬに沿って、パウチの一辺を切り裂きカットして切り離すことにより、パウチを開封して内容物を取り出すことができるものである。
【発明の開示】
【発明が解決しようとする課題】
【０００９】
本発明は、上記包装用の各種形態のパウチにおいて、そのパウチ本体のヒートシール部に、当該パウチに包装される内容物の商品名、価格、製造、販売に関する情報等の商品情報を記録でき且つ読み取りできるＩＣタグを装着することにより、パウチ内の商品に関する商品情報を、パウチ本体の表面に印刷やラベルにて表示された可視情報以外の電子化処理可能な電子情報として記録でき且つ読み取りできるようにした電子化パウチとしてのＩＣタグ装着パウチを提供することにある。
【課題を解決するための手段】
【００１０】
本発明の請求項１に係る発明は、二つ折り又は２枚重ねにて重ね合わせた略矩形状の軟質包装フィルムの少なくとも三方端部乃至四方端部の重ね合わせフィルム内面をヒートシールして三方乃至四方のシール部を設けた包装用のパウチにおいて、前記三方乃至四方のシール部のうちのいずれかのシール部の重ね合わせフィルム内面に、電子情報記録／読取用のＩＣタグが装着されていることを特徴とするＩＣタグ装着パウチである。
【００１１】
本発明の請求項２に係る発明は、上記請求項１に係るＩＣタグ装着パウチにおいて、前記電子情報記録／読取用のＩＣタグが、前記三方乃至四方のシール部のうちのいずれか一方のシール部の重ね合わせフィルム内面に装着されていることを特徴とするＩＣタグ装着パウチである。
【００１２】
本発明の請求項３に係る発明は、二つ折り又は２枚重ねにて重ね合わせた略矩形状の軟質包装フィルムの少なくとも三方端部乃至四方端部の重ね合わせフィルム内面をヒートシールして三方乃至四方のシール部を設けた包装用のパウチにおいて、前記三方乃至四方のシール部のうちのいずれかのシール部の重ね合わせフィルムの内面であって、該重ね合わせフィルムのうち一方又は両方のフィルム内面に備えたエンボス凹部内に電子情報記録／読取用のＩＣタグが装着されていることを特徴とするＩＣタグ装着パウチである。
【００１３】
本発明の請求項４に係る発明は、上記請求項３に係るＩＣタグ装着パウチにおいて、前記電子情報記録／読取用のＩＣタグが、前記三方乃至四方のシール部のうちのいずれか一方のシール部の重ね合わせフィルムの内面であって、該重ね合わせフィルムのうち一方又は両方のフィルム内面に備えたエンボス凹部内に電子情報記録／読取用のＩＣタグが装着されていることを特徴とするＩＣタグ装着パウチである。
【００１４】
本発明の請求項５に係る発明は、上記請求項１乃至４のいずれか１項に係るＩＣタグ装着パウチにおいて、前記三方乃至四方のシール部のうちの互いに対向する一対のシール部の端縁を結んで開封用カッティングラインが設けられ、該一対のシール部のうち一方のシール部の端縁の開封用カッティングラインの一端に、開封用ノッチ（切込部）が設けられていることを特徴とするＩＣタグ装着パウチである。
【００１５】
本発明の請求項６に係る発明は、上記請求項５に係るＩＣタグ装着パウチにおいて、前記開封用カッティングラインが、前記ＩＣタグの装着領域外を通過するように設けられて
いることを特徴とするＩＣタグ装着パウチである。
【００１６】
本発明の請求項７に係る発明は、上記請求項５に係るＩＣタグ装着パウチにおいて、前記開封用カッティングラインが、前記ＩＣタグの装着領域外を通過するように設けられ、且つＩＣタグ取り出し用カッティングラインが、前記ＩＣタグの装着領域内を通過するように設けられていることを特徴とするＩＣタグ装着パウチである。
【００１７】
本発明の請求項８に係る発明は、上記請求項５に係るＩＣタグ装着パウチにおいて、前記開封用カッティングラインが、前記ＩＣタグの装着領域内を通過するように設けられていることを特徴とするＩＣタグ装着パウチである。
【発明の効果】
【００１８】
本発明の請求項１、２に係るＩＣタグ装着パウチによれば、パウチの三方乃至四方のシール部のうちの、いずれかのシール部、又は、いずれか一方のシール部の重ね合わせフィルム内面に、電子情報記録／読取用のＩＣタグが装着されているので、ＩＣタグは、パウチのヒートシールされたシール部内面のパウチ本体重ね合わせフィルム内面に密接した状態で確実に装着固定でき、パウチ内で位置を移動したりせず、電子データによる商品情報を書き込みや、読み取りする際におけるＩＣタグと書き込み／読み取り手段との位置決めが容易になる。
【００１９】
本発明の請求項３、４に係るＩＣタグ装着パウチによれば、パウチの三方乃至四方のシール部のうちの、いずれかのシール部、又は、いずれか一方のシール部の重ね合わせフィルムの内面であって、該重ね合わせフィルムのうち一方又は両方のフィルム内面に備えたエンボス凹部内に電子情報記録／読取用のＩＣタグが装着されているので、ＩＣタグは、パウチのヒートシールされたシール部内面のエンボス凹部内に確実に収納装着でき、パウチのエンボス凹部内より他の位置に移動したりせず、エンボス凹部内に確実に収納保持することができ、電子データによる商品情報を書き込み、読み取りする際におけるＩＣタグと書き込み／読み取り手段との位置決めが容易になる。
【００２０】
また、本発明の請求項３、４に係るＩＣタグ装着パウチによれば、ＩＣタグは、パウチのヒートシールされたシール部内面のエンボス凹部内に確実に収納装着できるとともに、ＩＣタグはパウチ本体の重ね合わせフィルム内面には密着したり接着したりしない状態で装着できるので、装着されたＩＣタグを、回収したりリサイクルしたりする際には、パウチ本体の重ね合わせフィルム内面から容易に取り外すことができる。
【００２１】
本発明の請求項５、６に係るＩＣタグ装着パウチによれば、パウチの三方乃至四方のシール部のうちの、互いに対向する一対のシール部の端縁を結んで、開封用カッティングラインが設けられ、該一対のシール部のうち一方のシール部の端縁の開封用カッティングラインの一端に開封用ノッチ（切込部）が設けられており、また、前記開封用カッティングラインが、パウチのＩＣタグ装着領域外を通過するように設けられているので、パウチを開封用カッティングラインに沿って切り裂いて開封した際には、内容物のみを取り出すことができる。
【００２２】
本発明の請求項７に係るＩＣタグ装着パウチによれば、前記開封用カッティングラインが、パウチのＩＣタグの装着領域外を通過するように設けられ、それとは別に、ＩＣタグ取り出し用カッティングラインが、パウチのＩＣタグ装着領域内を通過するように設けられているので、パウチを開封用カッティングラインに沿って切り裂いて開封した際には、内容物のみを取り出すことができ、また、ＩＣタグ取り出し用カッティングラインに沿ってパウチを切り裂いた際には、ＩＣタグは、切り裂いたパウチのＩＣタグ取り出し用カッティングラインに露呈して、パウチ本体の重ね合わせフィルム内面から容易に取り外すこ
とができるようになる。
【００２３】
本発明の請求項８に係るＩＣタグ装着パウチによれば、前記開封用カッティングラインが、パウチのＩＣタグの装着領域内を通過するように設けられているので、装着されたＩＣタグを、回収したりリサイクルしたりする際には、パウチを開封用カッティングラインに沿って切り裂いて開封した際に、ＩＣタグは、切り裂いたパウチのカッティングラインに露呈して、パウチ本体の重ね合わせフィルム内面から容易に取り外すことができるようになる。
【発明を実施するための最良の形態】
【００２４】
本発明のＩＣタグ装着パウチを、その実施の形態に沿って、以下に詳細に説明する。
【００２５】
本発明のＩＣタグ装着パウチの一実施の形態は、図１（ａ）の平面図及び図１（ｂ）のＭ−Ｍ側断面図に示すように、二つ折り又は２枚重ねにて重ね合わせた略矩形状の軟質包装フィルム１、１の少なくとも三方端部、即ち上下端部２、４と一側端部３、又は四方端部、即ち上下端部２、４と両側端部３、３の重ね合わせフィルム１、１の内面をヒートシールして、三方端部乃至四方端部のシール部（斜線領域）を設けた包装用の平坦状のパウチである。
【００２６】
上記平坦状のパウチは、図示するように、矩形状の軟質包装フィルム１を折目（両側端部３、３のうちいずれか一側端部３の端縁に該当）にて二つ折りして重ね合わせたり、矩形状の軟質包装フィルム１を２枚重ねにしたりして重ね合わせて、その重ね合わせたフィルム１、１の二つ折りした前記折目と直交する方向の上下端部のうち、いずれか一端部、例えば下端部２と、前記折目と平行に対向する他の一側端部、例えば他側端部３との二方周囲、又は、上下端部のうちいずれか下端部２と両側端部３、３との三方周囲をヒートシールして製袋し、上下端部のうち他端部４側の開口部から内容物を充填した後に、該他端部４をヒートシールして、密封包装やシール包装されるものである。
【００２７】
そして本発明のＩＣタグ装着パウチは、前記平坦状のパウチの三方の端部２、４、３、又は、四方の端部２、４、３、３の各々ヒートシール部（斜線領域）のうち、いずれかのシール部の重ね合わせフィルム１、１の内面、例えば、図１（ａ）〜（ｂ）に示すように上端部４のシール部に、電子情報記録／読取用のＩＣタグ１１が装着されているものである。
【００２８】
本発明のＩＣタグ装着パウチの上記シール部における重ね合わせフィルム１、１の内面に装着されているＩＣタグ１１は、例えば、図７（ａ）の部分側断面図に示すように、前記三方乃至四方の各々シール部のうち、いずれかのシール部Ｓ（例えば、前記上端部４のシール部の領域内）における重ね合わせフィルム１、１の内面に、該重ね合わせフィルム１、１の内面に密着した状態で装着されているものである。
【００２９】
図２（ａ）は、本発明のＩＣタグ装着パウチの他の実施の形態の自立性のパウチを示す平面図、図２（ｂ）は、そのＭ−Ｍ側断面図であり、重ね合わせた矩形状の軟質包装フィルムの前面フィルム１と後面フィルム１との互いに対向する下端部２の内面側に、二つ折りにて折り込まれた底面折りフィルム５を備え、前記前面フィルム１と後面フィルム１との対向する左右両側端部３、３をヒートシールして製袋したものである。
【００３０】
そして、上下端部２、４のうち、上端部４側の開口部から内容物を充填した後に、該上端部４をヒートシールして密封包装やシール包装されるものであり、折り込まれた前記底面折りフィルム５（その底面折り内面は未シール状態）の二つ折りを開くことにより、パウチ底部の面積を拡張して自立できるようにした自立性のパウチである。
【００３１】
図３（ａ）は、本発明のＩＣタグ装着パウチのその他の実施の形態の自立性のパウチを示す平面図、図３（ｂ）は、そのＭ−Ｍ側断面図であり、重ね合わせた矩形状の軟質包装フィルムの前面フィルム１と後面フィルム１との互いに対向する下端部２の内面側に、二つ折りにて折り込まれた底面折りフィルム５を備え、前記前面フィルム１と後面フィルム１との対向する左右両側端部３、３をヒートシールして製袋したものである。なお、上端部４の直線状の片側端部は、図示するように適宜に変形状となっていてもよい。
【００３２】
そして、上下端部２、４のうち、上端部４側の開口部から内容物を充填した後に、該上端部４をヒートシールして密封包装やシール包装されるものであり、折り込まれた前記底面折りフィルム５の二つ折りを開くことにより、パウチ底部の面積を拡張して自立できるようにした自立性のパウチである。
【００３３】
本発明のＩＣタグ装着パウチは、上記のような平坦状のパウチ（図１（ａ）〜（ｂ）及び図８（ａ）〜（ｂ）参照）、自立性のパウチ（図２（ａ）〜（ｂ）及び図３（ａ）〜（ｂ）及び図９（ａ）〜（ｂ）参照）、あるいは通気性のあるパウチ（図１０（ａ）〜（ｂ）参照）、あるいはガゼット状のパウチ（図１１（ａ）〜（ｂ）参照）のように各種の形態のパウチに適用できるものである。
【００３４】
本発明のＩＣタグ装着パウチの製袋に用いる軟質包装フィルム１（重ね合わせフィルム）として、例えば、ポリエチレン、ポリプロピレン、ポリエチレンテレフタレート、ナイロン等の各種の合成樹脂からなるフィルム材料、あるいは、これらのフィルム材料からなる基材に酸化珪素等の無機酸化物の薄膜をポリエチレンテレフタレート等のフィルムに蒸着したガスバリア性蒸着フィルムやアルミニウム箔や紙等のフィルム材料のうちいずれかのフィルム材料を積層した複合フィルム材料が使用できる。
【００３５】
そして、上記フィルム材料による軟質包装フィルム１の片面（該フィルム１、１の重ね合わせ内面、二つ折りした底面折りフィルム５の折り外面、二つ折りした側面折りフィルム６の折り外面）には、ヒートシール性のある熱接着性のシーラント層（ポリエチレン、ポリプロピレン等の熱可塑性樹脂層）が積層されている。
【００３６】
本発明のＩＣタグ装着パウチに装着するＩＣタグ１１は、各種の形態のパウチの三方端部２、４、３、乃至、四方端部２、４、３、３の各々シール部（斜線領域）のうち、いずれか一方端部、又は数方端部のシール部の重ね合わせ内面に装着することができる。
【００３７】
例えば、図１（ａ）に示すように、平坦状のパウチの上端部４のシール部（斜線領域）内の重ね合わせフィルム１、１の内面に取り付けることができ、また、図２（ａ）、図３（ａ）に示すように、自立性のパウチの上端部４と一側端部３との角隅部１２に広幅に設けたシール部（斜線領域）内の重ね合わせフィルム１、１の内面に取り付けることができる。
【００３８】
本発明のＩＣタグ装着パウチの他の実施の形態は、図４（ａ）の平面図及び図４（ｂ）のＭ−Ｍ側断面図に示すように、二つ折り又は２枚重ねにて重ね合わせた略矩形状の軟質包装フィルム１、１の少なくとも三方端部、即ち上下端部２、４と一側端部３、又は四方端部、即ち上下端部２、４と両側端部３、３の重ね合わせフィルム１、１の内面をヒートシールして、三方端部乃至四方端部のシール部（斜線領域）を設けた包装用の平坦状のパウチであるが、その三方端部、乃至、四方端部のシール部のうち、いずれか一方端部、又は数方端部のシール部の重ね合わせフィルム１、１のうち、一方のフィルム１の内面、又は両方のフィルム１、１の内面にエンボス凹部１５を備えていて、そのエンボス凹部１５の空間部１６内に電子情報記録／読取用のＩＣタグ１１が装着されているものである。
【００３９】
図７（ｂ）は、パウチを示す図４（ｂ）のＭ−Ｍ側断面図の部分拡大図であり、パウチの三方端部乃至四方端部の各々シール部のうち、いずれか一方端部のシール部Ｓの重ね合わせフィルム１、１のうち、一方のフィルム１の内面には、該フィルム１の内面側にエンボス凸金型を用いてエンボス加工手段によりエンボス形成されたエンボス凹部１５を備えているものであり、平坦なフィルム１と、エンボス凹部１５を備えたフィルム１とを重ね合わせて形成されるエンボス凹部１５の空間部１６内に電子情報記録／読取用のＩＣタグ１１が収容されて装着されているものである。
【００４０】
図７（ｃ）は、パウチを示す図４（ｂ）のＭ−Ｍ側断面図の部分拡大図であり、パウチの三方端部乃至四方端部の各々シール部のうち、いずれか一方端部のシール部Ｓの重ね合わせフィルム１、１のうち、両方のフィルム１、１の内面には、各々フィルム１、１のそれぞれ内面側に、エンボス凸金型を用いてエンボス加工手段によりエンボス形成されたそれぞれエンボス凹部１５、１５を備えているものであり、エンボス凹部１５を備えた各々フィルム１、１を重ね合わせ、その対向する各々エンボス凹部１５、１５により形成される空間部１６内に電子情報記録／読取用のＩＣタグ１１が収容されて装着されているものである。
【００４１】
パウチの三方端部乃至四方端部の各々シール部のうち、いずれか一方端部のシール部Ｓの重ね合わせフィルム１、１の内面にエンボス凹部１５によって形成される空間部１６に収容されて装着される前記ＩＣタグ１１は、空間部１６内に収容されているだけであって空間部１６を形成するフィルム１、１の内面のいずれにも接着、固定されていなくてもよい。
【００４２】
あるいは、空間部１６内に収容されているＩＣタグ１１は、前記空間部１６を形成するフィルム１、１の内面のいずれかの部分に、スポット状（点状）やエリア（面状）状に供給された接着剤（粘着剤等の感圧接着剤、又は感熱接着剤等）を用いて、あるいは、該空間部１６を形成するフィルム１、１内面側に製袋前から予め積層形成されている製袋用のシーラント層（ポリエチレン樹脂などの感熱接着性樹脂層）を用いて接着固定されていてもよい。
【００４３】
本発明においては、図７（ａ）に示すＩＣタグを装着したシール部Ｓにおいて、その重ね合わせフィルム１、１のＩＣタグ装着部分の各々外面１ａ、１ａは、ＩＣタグが装着されていない部分の面に対して、同じ高さの平坦面を保持していてもよいし、多少の高さを以て突出していてもよい。
【００４４】
また、図７（ｂ）、（ｃ）示すＩＣタグを装着したシール部Ｓにおいて、その重ね合わせフィルム１、１のＩＣタグ装着部分であるエンボス凹部１５の外面１５ａは、ＩＣタグが装着されていない部分の面に対して、多少の高さを以て突出していてもよいし、同じ高さの平坦面を保持していてもよい。
【００４５】
また、図７（ａ）に示すシール部Ｓにおける重ね合わせフィルム１、１のＩＣタグを装着した内面と、ＩＣタグ１１の外面とは、互いに密着していなくてもよいし、互いに密着していてもよいが、好ましくは互いに密着していることが適当である。
【００４６】
また、図７（ｂ）、（ｃ）に示すシール部Ｓにおける重ね合わせフィルム１、１のＩＣタグを収容したエンボス凹部１５の内面と、ＩＣタグ１１の外面とは、互いに密着していなくてもよいし、密着していなくてもよいが、好ましくは互いに密着していることが適当である。
【００４７】
本発明のＩＣタグ装着パウチは、例えば、図１（ａ）及び図４（ａ）に示すように、パウチの三方端部、即ち、下端部２、上端部４、一側端部３、又は、四方端部、即ち、下端部２、上端部４、両側端部３、３の各シール部（斜線領域）のうち、互いに対向する一対のシール部、例えば両側端部３、３の端縁を結んで、開封用カッティングラインＬ1 （ラインＬ1 の方向は必要に応じて樹脂フィルム１、１のフィルム延伸方向に平行な方向）がパウチのＩＣタグ装着領域外を通過するように設けられ、該対向する一対の両側端部３、３のシール部のうち、一方の側端部３のシール部の端縁の開封用カッティングラインの一端には開封用ノッチ７（切込部）が設けられている。
【００４８】
そして、図１（ａ）及び図４（ａ）に示すパウチを開封用カッティングラインＬ1 に沿って切り裂いて開封した際には、パウチ内から内容物のみを取り出すことができる。
【００４９】
また、本発明のＩＣタグ装着パウチは、例えば、同じく図１（ａ）及び図４（ａ）に示すように、前記開封用カッティングラインＬ1 が、パウチのＩＣタグの装着領域外を通過するように設けられているとともに、それとは別に、ＩＣタグ取り出し用カッティングラインＬ2 が、パウチのＩＣタグ装着領域内を通過するように設けられ、該対向する一対の両側端部３、３のシール部のうち、一方の側端部３のシール部の端縁のＩＣタグ取り出し用カッティングラインの一端には、開封用ノッチ８（切込部）が設けられている。
【００５０】
そして、図１（ａ）及び図４（ａ）に示すパウチを開封用カッティングラインＬ1 に沿って切り裂いて開封した際には、パウチ内から内容物のみを取り出すことができるとともに、ＩＣタグ取り出し用カッティングラインＬ2 に沿ってパウチを切り裂いた際には、ＩＣタグ１１は、切り裂いたパウチのＩＣタグ取り出し用カッティングラインＬ1 上に露呈してパウチ本体の重ね合わせフィルム１、１の内面から容易に取り外すことができる。
【００５１】
また、本発明のＩＣタグ装着パウチは、例えば、同じく図２（ａ）、図３（ａ）、及び図５（ａ）、図６（ａ）に示すように、パウチの三方端部、即ち、下端部２、上端部４、一側端部３、又は、四方端部、即ち、下端部２、上端部４、両側端部３、３の各シール部（斜線領域）のうち、互いに対向する一対のシール部、例えば両側端部３、３の端縁を結んで、開封用カッティングラインＬ1 が、パウチのＩＣタグ装着領域内を通過するように設けられ、該対向する一対の両側端部３、３のシール部のうち、一方の側端部３のシール部の端縁の開封用カッティングラインの一端には開封用ノッチ７（切込部）が設けられている。
【００５２】
そして、図２（ａ）、図３（ａ）、及び図５（ａ）、図６（ａ）に示すパウチを開封用カッティングラインＬ1 に沿って切り裂いて開封した際には、パウチ内から内容物を取り出すことができるとともに、ＩＣタグ１１は、切り裂いたパウチのＩＣタグ取り出し用カッティングラインＬ1 上に露呈して、パウチ本体の重ね合わせフィルム１、１の内面から容易に取り外すことができる。
【図面の簡単な説明】
【００５３】
【図１】（ａ）は本発明のＩＣタグ装着パウチの一例を説明する平面図、（ｂ）はそのＭ−Ｍ側断面図。
【図２】（ａ）は本発明のＩＣタグ装着パウチの他の例を説明する平面図、（ｂ）はそのＭ−Ｍ側断面図。
【図３】（ａ）は本発明のＩＣタグ装着パウチのその他の例を説明する平面図、（ｂ）はそのＭ−Ｍ側断面図。
【図４】（ａ）は本発明のＩＣタグ装着パウチにおいて、ＩＣタグを収容するエンボス凹部を備えたパウチの一例を説明する平面図、（ｂ）はそのＭ−Ｍ側断面図。
【図５】（ａ）は本発明のＩＣタグ装着パウチにおいて、ＩＣタグを収容するエンボス凹部を備えたパウチの他の例を説明する平面図、（ｂ）はそのＭ−Ｍ側断面図。
【図６】（ａ）は本発明のＩＣタグ装着パウチにおいて、ＩＣタグを収容するエンボス凹部を備えたパウチのその他の例を説明する平面図、（ｂ）はそのＭ−Ｍ側断面図。
【図７】（ａ）〜（ｃ）は本発明のＩＣタグ装着パウチにおけるＩＣタグを装着したシール部の部分断面図。
【図８】（ａ）は従来のパウチの一例を説明する平面図、（ｂ）はそのＭ−Ｍ側断面図。
【図９】（ａ）は従来のパウチの一例を説明する平面図、（ｂ）はそのＭ−Ｍ側断面図。
【図１０】（ａ）は従来のパウチの一例を説明する平面図、（ｂ）はそのＭ−Ｍ側断面図。
【図１１】（ａ）は従来のパウチの一例を説明する平面図、（ｂ）はそのＭ−Ｍ側断面図。
【符号の説明】
【００５４】
Ｌ…開封用カッティングライン
Ｌ1 …開封用カッティングライン
Ｌ2 …ＩＣタグ取り出し用カッティングライン
１…軟質包装フィルム
２…下端部
３…側端部
４…上端部
５…底面折りフィルム
６…側面折りフィルム
７、８…切込部
１１…ＩＣタグ
１５…エンボス凹部
【図１】
2006069560.tif 000003
【図２】
2006069560.tif 000004
【図３】
2006069560.tif 000005
【図４】
2006069560.tif 000006
【図５】
2006069560.tif 000007
【図６】
2006069560.tif 000008
【図７】
2006069560.tif 000009
【図８】
2006069560.tif 000010
【図９】
2006069560.tif 000011
【図１０】
2006069560.tif 000012
【図１１】
2006069560.tif 000013